(57)【要約】【課題】津波バリアを傾斜地に設ける場合であっても、スクリーンの損傷を抑制すること。【解決手段】傾斜地に鉛直方向に沿って立設された複数の支柱（２）と、傾斜地の傾斜に沿って支柱間（２）に架け渡され、波の力によって流されてきた物体（Ｃ）を捕捉するスクリーン（３）とを備える津波バリア（１）であって、スクリーン（３）を傾斜地の傾斜に沿って延在させた状態で支柱（２）に固定した。【選択図】図１
2018017050.tif 000002
【特許請求の範囲】
【請求項１】
傾斜地に鉛直方向に沿って立設された複数の支柱と、前記傾斜地の傾斜に沿って前記支柱間に架け渡され、波の力によって流されてきた物体を捕捉するスクリーンとを備える津波バリアであって、
前記スクリーンを前記傾斜地の傾斜に沿って延在させた状態で前記支柱に固定したことを特徴とする津波バリア。
【請求項２】
前記スクリーンは、前記支柱内に通されていることを特徴とする請求項１に記載の津波バリア。
【請求項３】
前記スクリーンは、取付具によって前記支柱に固定されていることを特徴とする請求項１又は２に記載の津波バリア。
【請求項４】
前記取付具は、
前記スクリーンの端部に設けられたボルト部と、
前記ボルト部に螺合するナット部と、
を備えることを特徴とする請求項３に記載の津波バリア。
【請求項５】
前記支柱に設けられ、前記ボルト部を有する前記スクリーンを挿通するガイド部を備えることを特徴とする請求項４に記載の津波バリア。
【請求項６】
前記ガイド部は、前記スクリーンを挿通させる挿通孔を有し、
前記挿通孔は、挿通された前記スクリーンの端部側に向かうにつれて外側に向かって湾曲する湾曲面を有することを特徴とする請求項５に記載の津波バリア。
【請求項７】
前記ガイド部は、前記支柱における前記スクリーンの引き込み側の孔と引き出し側の孔の少なくとも一方に設けられていることを特徴とする請求項５又は６に記載の津波バリア。
【請求項８】
前記ガイド部は、前記支柱における前記スクリーンの引き込み側の孔と引き出し側の孔とに設けられ、
前記スクリーンの引き出し側の孔に設けられた前記ガイド部は、前記スクリーンの引き込み側の孔に設けられた前記ガイド部よりも大径であることを特徴とする請求項５から７までのいずれか一項に記載の津波バリア。
【請求項９】
前記ガイド部は、テーパ座金であることを特徴とする請求項５から８までのいずれか一項に記載の津波バリア。
【請求項１０】
前記支柱には、前記スクリーンの挿通を案内する案内部が設けられていることを特徴とする請求項２から９までのいずれか一項に記載の津波バリア。
【発明の詳細な説明】
【技術分野】
【０００１】
本発明は、津波や高潮の発生時に漂流物等を捕捉する津波バリアに関する。
【背景技術】
【０００２】
岸壁、護岸等に設けられ、津波や高潮の発生時に押し波による船舶や漂流物の陸への流入、引き波による地上の荷物の海への流出を防止する津波バリアが知られている（例えば、特許文献１参照）。
津波バリアは、例えば、地面に立設された複数の支柱と、これらの支柱に支持される捕捉用のスクリーンとを備えており、支柱及びスクリーンで漂流物等の流入、荷物の流出を阻止するとともに、衝撃を吸収することができる。
津波バリアは、陸に載置された荷物の周囲への流出を避けるため、荷物の載置スペースの周囲を囲むように設けられることが多い。
一般的に、津波バリアは、平地に設けられることが多いが、地形によっては、傾斜地に設けられることもある。この場合、図６に示すように、支柱１０１を鉛直方向に沿って立設し、支柱１０１間にスクリーン１０２を傾斜面に沿って架け渡している。スクリーン１０２は、鉛直方向に直交する方向に支柱１０１を貫通させ、支柱１０１に固定されている。
【先行技術文献】
【特許文献】
【０００３】
【特許文献１】特開２０１３−１１９６９８号公報
【発明の概要】
【発明が解決しようとする課題】
【０００４】
しかし、上記のような津波バリアにおいては、支柱１０１間におけるスクリーン１０２の延在方向と、支柱１０１内におけるスクリーン１０２の延在方向とが異なっているため、図７に示すように、支柱１０１の出口でスクリーン１０２が屈曲された状態となっている。
そのため、スクリーン１０２に張力が作用した場合に、その張力の鉛直方向成分Ｆａがスクリーン１０２へのせん断力として作用するため、スクリーン１０２が損傷するおそれがあった。
【０００５】
そこで、本発明は、上記課題に鑑みてなされたものであり、傾斜地に設ける場合であっても、スクリーンの損傷を抑制することができる津波バリアを提供することを目的とする。
【課題を解決するための手段】
【０００６】
上記課題を解決するため、本発明は、傾斜地に鉛直方向に沿って立設された複数の支柱と、前記傾斜地の傾斜に沿って前記支柱間に架け渡され、波の力によって流されてきた物体を捕捉するスクリーンとを備える津波バリアであって、前記スクリーンを前記傾斜地の傾斜に沿って延在させた状態で前記支柱に固定したことを特徴とする。
【０００７】
また、前記スクリーンは、前記支柱内に通されていることが好ましい。
【０００８】
また、前記スクリーンは、取付具によって前記支柱に固定されていることが好ましい。
【０００９】
また、前記取付具は、前記スクリーンの端部に設けられたボルト部と、前記ボルト部に螺合するナット部と、を備えることが好ましい。
【００１０】
また、前記支柱に設けられ、前記ボルト部を有する前記スクリーンを挿通するガイド部を備えることが好ましい。
【００１１】
また、前記ガイド部は、前記スクリーンを挿通させる挿通孔を有し、前記挿通孔は、挿通された前記スクリーンの端部側に向かうにつれて外側に向かって湾曲する湾曲面を有することが好ましい。
【００１２】
また、前記ガイド部は、前記支柱における前記スクリーンの引き込み側の孔と引き出し側の孔の少なくとも一方に設けられていることが好ましい。
【００１３】
また、前記ガイド部は、前記支柱における前記スクリーンの引き込み側の孔と引き出し側の孔とに設けられ、前記スクリーンの引き出し側の孔に設けられた前記ガイド部は、前記スクリーンの引き込み側の孔に設けられた前記ガイド部よりも大径であることが好ましい。
【００１４】
また、前記ガイド部は、テーパ座金であることが好ましい。
【００１５】
また、前記支柱には、前記スクリーンの挿通を案内する案内部が設けられていることが好ましい。
【発明の効果】
【００１６】
本発明によれば、津波バリアを傾斜地に設ける場合であっても、スクリーンの損傷を抑制することができる。
【図面の簡単な説明】
【００１７】
【図１】傾斜地に設けられた津波バリアの斜視図である。
【図２】津波バリアの正面図である。
【図３】図２のＡ−Ａ断面図である。
【図４】ガイド部の断面図である。
【図５】他の例におけるスクリーン端部の支柱への取付構造を示す断面図である。
【図６】傾斜地に設けられた従来の津波バリアの正面図である。
【図７】従来の津波バリアにおけるスクリーン端部の支柱への取付構造を示す断面図である。
【発明を実施するための形態】
【００１８】
本発明の好ましい実施の形態について、図面を参照しながら説明する。なお、以下に示す実施の形態は一つの例示であり、本発明の範囲において、種々の実施の形態をとり得る。
【００１９】
＜津波バリアの構成＞
図１に示すように、津波バリア１は、港湾の岸壁近くの傾斜地に設けられている。津波バリア１は、船舶に積み込む荷物Ｃ又は船舶から荷下ろしされた荷物Ｃを仮置きする荷置きスペースＳを矩形状に囲むように設けられている。
津波バリア１は、荷置きスペースＳを完全に囲むものではなく、仮置きされた荷物Ｃを搬出したり、荷置きスペースＳに荷物を搬入するために車両が通行するゲート１１が設けられている。
津波バリア１は、複数の支柱２と、スクリーン３と、取付具４と、ガイド部５と、案内部６と、を備えている。
【００２０】
（支柱）
支柱２は、基礎となる傾斜地に鉛直方向に沿って立設されている。支柱２は、直線上に並ぶように地面に立設されており、その途中で並び方向が変えられている。すなわち、並び方向が変わる箇所が津波バリア１の角部となる。津波バリア１は矩形状に形成されているため、４つの角部を有するように支柱２の並び方向が４箇所で変えられている。
これらの複数の支柱２には、スクリーン３の端部を支持する端部支柱２１と、端部支柱２１間に配置され、スクリーン３を支持する中間支柱２２とがある。
端部支柱２１は、津波バリア１の角部を構成する支柱、及び、ゲート１１を構成する支柱として用いられており、これらの端部支柱２１以外の支柱は全て中間支柱２２であり、端部支柱２１間に所定の間隔をあけて配置されている。
端部支柱２１は、スクリーン３に作用する張力等に耐えられるよう、スクリーン３の途中を支持する中間支柱２２よりも強固に構成されている。具体的には、端部支柱２１は、中間支柱２２よりも大径かつ肉厚であり、アンカー等をとって地面に深く埋設されている。
ここで、端部支柱２１は、当該端部支柱２１に衝突した漂流物等の衝突エネルギーを変形で吸収するように設計されている。中間支柱２２は、当該中間支柱２２に衝突した漂流物等の衝突エネルギーを変形で吸収するように設計されているが、スクリーン３の伸びによる衝突エネルギーの吸収によって軽減される。中間支柱２２の許容変形量は、軸線の傾斜角が１５°である。
支柱２には、一対の貫通孔２ａ，２ｂ（図４参照）が、スクリーン３を構成するワイヤロープ３１の数に応じて形成されている。例えば、図２に示すように、支柱２間に架け渡されるワイヤロープ３１が４本ある場合、一対の貫通孔２ａ，２ｂは、４セット、すなわち、合計８個形成されている。
一対の貫通孔２ａ，２ｂは、両貫通孔２ａ，２ｂの中心を直線で結んだときに、その直線が傾斜地の傾斜面Ｇの方向に沿うように、位置がずらして形成されている。これは、スクリーン３を構成するワイヤロープ３１が支柱２内で傾斜地の傾斜面Ｇの方向に沿うように配置するためである。
【００２１】
（スクリーン）
スクリーン３は、津波や高潮の発生時に、海から陸に押し寄せる押し波による船舶や漂流物の陸への流入、引き波による荷置きスペースＳの荷物の海への流出を防止するため、波によって流される物の捕捉体となるものである。
スクリーン３は、例えば、並べられた各支柱２に通される複数のワイヤロープ３１を備えている。各ワイヤロープ３１は、各支柱２に形成された一対の貫通孔２ａ，２ｂに挿通されており、一対の貫通孔２ａ，２ｂに挿通された状態において、ワイヤロープ３１の延在方向が傾斜面Ｇに沿っている。すなわち、各ワイヤロープ３１は、支柱２内を貫通し、一端から他端まで直線状に配置されており、その延在方向が傾斜地の傾斜面Ｇの方向に沿っている。
各ワイヤロープ３１は、その延在方向が互いに平行となるように架設されている。津波バリア１の角部は、端部支柱２１が設けられているため、各ワイヤロープ３１は、角部で屈曲されることなく、直線状に架設されている。
図１、図２に示すように、ワイヤロープ３１の両端部は、端部支柱２１に取り付けられている。なお、スクリーン３は、支柱２間に架設された複数のワイヤロープ３１によって構成することもできるが、隣接する支柱２間の距離が長い場合には、ワイヤロープ３１の弛みを防止するために、ワイヤロープ３１同士を所定の間隔を保ちながら連結してもよい。
図３、図４に示すように、ワイヤロープ３１の端部には、ねじ山が形成されたボルト部４１がワイヤロープ３１と同軸上に設けられており、端部支柱２１の内部を通したワイヤロープ３１のボルト部４１を、座金４３を介してナット部４２で締結することにより、ワイヤロープ３１を端部支柱２１に取り付けることができる。
【００２２】
（取付具）
取付具４は、ワイヤロープ３１を端部支柱２１に固定するものであり、ワイヤロープ３１の端部に設けられたボルト部４１と、このボルト部４１に螺合するナット部４２と、ガイド部５とナット部４２との間に設けられる座金４３とを備えている。
ボルト部４１は、ワイヤロープ３１と同軸上に設けられており、端部支柱２１の一対の貫通孔２ａ，２ｂに挿通される。一対の貫通孔２ａ，２ｂに挿通されたボルト部４１には、座金４３を介してナット部４２が螺合され、その結果、ワイヤロープ３１は、端部支柱２１に固定される。
【００２３】
（ガイド部）
図３、図４に示すように、ガイド部５は、ボルト部４１を有するワイヤロープ３１の端部を挿通させるものである。また、ガイド部５は、ワイヤロープ３１が支柱２や案内部６に接触して損傷しないようにワイヤロープ３１を保護するものである。
ガイド部５としては、ワイヤロープ３１の端部側、すなわち、ワイヤロープ３１の引き出し側の孔２ｂに設けられている外側ガイド部５１と、ワイヤロープ３１の引き込み側の孔２ａに設けられている内側ガイド部５２とがある。ここで、端部支柱２１においては、ワイヤロープ３１の引き込み側の孔２ａに内側ガイド部５２が設けられ、引き出し側の孔２ｂに外側ガイド部５１が設けられている。中間支柱２２においては、いずれの孔２ａ，２ｂにおいても内側ガイド部５２が設けられている。
外側ガイド部５１は、例えば、金属や樹脂から形成されており、略筒状に形成されている。外側ガイド部５１は、軸線方向の一端側にフランジ部５１ｆが形成されており、座金４３及びナット部４２を受ける台座となっている。外側ガイド部５１は、端部支柱２１の立設方向に対して斜めから挿入されるので、フランジ部５１ｆは、端部支柱２１により深く挿入される部分の方が厚くなるように形成されている。
外側ガイド部５１は、その軸線方向に沿って形成された挿通孔５１ａを有しており、この挿通孔５１ａにワイヤロープ３１が挿通されている。挿通孔５１ａの一端には、挿通孔５１ａの内面から外面に向けて滑らかに湾曲するように形成された湾曲面５１ｂが形成されている。外側ガイド部５１は、ワイヤロープ３１の引き出し側の孔２ｂの周縁に溶接によって固定されている。
内側ガイド部５２は、例えば、金属や樹脂から形成されており、略筒状に形成されている。内側ガイド部５２は、軸線方向の一端側にフランジ部５２ｆが形成されている。内側ガイド部５２は、その軸線方向に沿って形成された挿通孔５２ａを有しており、この挿通孔５２ａにワイヤロープ３１が挿通されている。挿通孔５２ａの一端には、ワイヤロープ３１の端部側に向かうにつれて、挿通孔５２ａの内面から外面に向けて滑らかに湾曲するように形成された湾曲面５２ｂが形成されている。内側ガイド部５２は、ワイヤロープ３１の引き込み側の孔２ａの周縁に溶接によって固定されている。外側ガイド部５１は、内側ガイド部５２よりも大きな径を有するように形成されている。
外側ガイド部５１の軸線と内側ガイド部５２の軸線は、傾斜面Ｇに沿って一直線状に並ぶように支柱２に設けられている。
【００２４】
（案内部）
図３、図４に示すように、案内部６は、ワイヤロープ３１を支柱２に円滑に通すために、支柱２内でワイヤロープ３１を案内する部材である。案内部６は、管状に形成された金属管から形成されており、その両端部がそれぞれ支柱２の貫通孔２ａ，２ｂに溶接によって接合されている。
案内部６は、端部支柱２１及び中間支柱２２の双方に当該支柱２内を貫通するように設けられている。案内部６は、例えば、その軸線が一直線に延びる円筒状に形成されている。案内部６を支柱２に設けた際、案内部６の軸線方向に沿ってワイヤロープ３１が引き込まれ、引き出されるようになっている。案内部６は、一対の貫通孔２ａ，２ｂの高さ位置が異なるように形成されているため、支柱２に挿通した際に、案内部６の軸線が傾斜面Ｇに沿った方向に延在するように固定される。案内部６の両端部には、それぞれガイド部５が設けられている。なお、案内部６は、金属管に限らず、プラスチック等の他の材料で形成されていてもよい。
ガイド部５は、案内部６の両端部に溶接によって接合されており、ガイド部５と案内部６とで支柱２内の空間と外部空間とを隔離している。外側ガイド部５１の挿通孔５１ａ及び内側ガイド部５２の挿通孔５２ａの内径と、案内部６の内径はほぼ等しくなるように形成されており、ガイド部５を案内部６に接合した際に、内面に段差ができないようになっている。
【００２５】
＜津波バリアの施工方法＞
次に、津波バリア１の施工方法について説明する。
図１、図２に示すように、矩形状に仕切られた荷置きスペースＳを津波バリア１で囲む際には、津波バリア１を矩形状に形成することが好ましい。
荷置きスペースＳの境界に沿って支柱２を所定の間隔で設置していく。このとき、ワイヤロープ３１の端部となるゲート１１の支柱、津波バリア１の角部の支柱として端部支柱２１を設置し、それ以外の支柱として中間支柱２２を設置する。
端部支柱２１及び中間支柱２２には、案内部６を挿通しておき、案内部６の一端部に外側ガイド部５１、他端部に内側ガイド部５２を固定しておく。中間支柱２２には、案内部６を挿通しておき、案内部６の両端部に内側ガイド部５２を固定しておく。
次に、ワイヤロープ３１の一方の端部を一方の端部支柱２１に取り付け、他方の端部を中間支柱２２に順に通していく。全ての中間支柱２２にワイヤロープ３１を通した後、ワイヤロープ３１の他方の端部を他方の端部支柱２１に取り付ける。
上記の作業を全てのワイヤロープ３１について行うことで、漂流物や荷物を捕捉するスクリーン３が完成する。
【００２６】
以上のような構成を有する津波バリア１によれば、傾斜地に設けた場合であっても、スクリーン３を構成するワイヤロープ３１は、一端部から他端部まで屈曲することなく傾斜面Ｇに沿って直線状に支柱２に架設されているので、ワイヤロープ３１に張力が作用した場合であっても、ワイヤロープ３１のせん断方向の成分が作用することはないので、ワイヤロープ３１の損傷を抑えることができる。
また、支柱２にガイド部５を設けることにより、ワイヤロープ３１が支柱２に直接接触することがなくなるため、張力が作用した際にワイヤロープ３１の損傷を防止することができる。
また、このガイド部５は、その端部に湾曲面５１ｂ，５２ｂが形成されているので、ワイヤロープ３１の架設方向が若干ずれた場合であっても、広がりのある湾曲面５１ｂ，５２ｂで位置のずれを許容することができるので、スクリーン３を架設する際に高精度の位置決めをしなくてもよく、作業負担が軽減される。
また、外側ガイド部５１は、端部支柱２１に対して傾斜させて固定することを前提としていることから、フランジ部５１ｆの肉厚が厚くなっているため、ワイヤロープ３１の張力がかかる外側ガイド部５１自体の強度を高めることができる。
【００２７】
＜その他＞
なお、本発明は、上記実施の形態に限られるものではなく、本発明の範囲を超えない範囲で適宜変更が可能である。例えば、図５に示すように、外側ガイド部５１及び座金４３に代えて、ワイヤロープ３１の傾斜に合わせたテーパ座金７を用いてもよい。
【００２８】
また、スクリーン３は、複数のワイヤロープ３１に限らず、網材の外縁にワイヤロープを取り付けたものであってもよい。支柱２の形状、ガイド部５、案内部６の形状も任意であって、適宜変更が可能である。
【符号の説明】
【００２９】
１  津波バリア
２  支柱
２ａ  引き込み側の孔（貫通孔）
２ｂ  引き出し側の孔（貫通孔）
３  スクリーン
４  取付具
５  ガイド部
６  案内部
７  テーパ座金
２１  端部支柱
２２  中間支柱
３１  ワイヤロープ
４１  ボルト部
４２  ナット部
５１  外側ガイド部
５１ａ  挿通孔
５１ｂ  湾曲面
５２  内側ガイド部
５２ａ  挿通孔
５２ｂ  湾曲面
【図１】
2018017050.tif 000003
【図２】
2018017050.tif 000004
【図３】
2018017050.tif 000005
【図４】
2018017050.tif 000006
【図５】
2018017050.tif 000007
【図６】
2018017050.tif 000008
【図７】
2018017050.tif 000009